(57)【要約】【課題】引き抜き時に生じ得る不具合を未然に防止することができる引き抜き部構造を提供する。【解決手段】ケース本体１１の下部ケース１０３に設けられた左前部補強リブ２１１及び右前部補強リブ２１２を、カートリッジ１２のシート体延出部４６を引っ張ってシート体４１を引き抜く際に、シート体４１の本体部４５が通過する通過経路上に設け、本体部４５の左側縁部４５ａが左前部補強リブ２１１の先端部に、本体部４５の右側縁部４５ｂが右前部補強リブ２１２の先端部に接触するようにする。左前部補強リブ２１１に、本体部４５の左側縁部４５ａを厚み方向Ｔに曲がるようにガイドする左ガイド面２１１ａを設け、右前部補強リブ２１２に、本体部４５の右側縁部４５ｂを厚み方向Ｔに曲がるようにガイドする右ガイド面２１２ａを設ける。【選択図】図６
2015117045.tif 000002
【特許請求の範囲】
【請求項１】
ケース本体に収容されたシート体を引き抜く際に機能する引き抜き部構造であって、
引き抜かれるシート体の通過経路上に前記シート体の側縁部に接する接触部を設けたことを特徴とする引き抜き部構造。
【請求項２】
前記側縁部が前記シート体の厚み方向に曲がるようにガイドするガイド面を前記接触部に設定したことを特徴とする請求項１記載の引き抜き部構造。
【請求項３】
前記接触部の下流側に前記シート体が通過する引き抜き口を設けるとともに、前記側縁部が曲げられた状態で前記シート体が通過するように前記引き抜き口の幅寸法を設定したことを特徴とする請求項１又は２記載の引き抜き部構造。
【請求項４】
前記シート体を、幅広の本体部と該本体部より延出した幅狭の延出部とで構成し、該延出部に引き抜き時に挟持される挟持部を設定する一方、前記本体部の側縁部に前記接触部が接するように構成したことを特徴とする請求項１、２又は３記載の引き抜き部構造。
【請求項５】
前記延出部より離れる方向へ向かうに従って幅広となる曲げ導入部を前記本体部に設定したことを特徴とする請求項４記載の引き抜き部構造。
【発明の詳細な説明】
【技術分野】
【０００１】
本発明は、シート体を引き抜く際の引き抜き部構造に関する。
【背景技術】
【０００２】
従来、薬剤を揮散する薬剤揮散装置が知られており、この薬剤揮散装置としては、ケース本体と該ケース本体内に収容されるカートリッジとによって構成されたものが知られている。
【０００３】
このカートリッジは、プラスチックで形成されたカートリッジ本体を備えており、該カートリッジ本体には、液状薬剤を収容する容器部と、該容器部の開口縁部に設けられたフランジ部と、該フランジ部より延出した延出部とが形成されている。前記容器部内には、前記液状薬剤が収容されており、該容器部が開口する前記カートリッジ本体の開口部側の面には、透過膜と薬剤不透過性シートとが順に積層されている。
【０００４】
前記透過膜は、前記容器部からの前記液状薬剤の漏れを防止する一方、気化した液状薬剤は透過できるように構成されており、前記薬剤不透過性シートは、気化した液状薬剤の透過も防止できるように構成されている。
【０００５】
前記カートリッジ本体には、前記容器部を包囲した前記フランジ部と前記延出部との間に切り込みが設けられており、前記延出部を前記切り込みにて折曲するとともに、前記容器部の表面側へ折り返すことができるように構成されている。この状態で、当該カートリッジを前記ケース本体に収容した際には、前記延出部が前記ケース本体から延出するように構成されており、当該延出部を引っ張ることで、前記薬剤不透過性シートを剥離するとともに該薬剤不透過性シートをケース本体から引き抜き、前記液状薬剤を揮散できるように構成されている。
【発明の概要】
【発明が解決しようとする課題】
【０００６】
しかしながら、このような引き抜き構造にあっては、引き抜き時において引き抜かれた薬剤不透過性シートの縁がケース本体を保持した手に当たることがあり得る。
【０００７】
このような場合、薬剤不透過性シートを引き抜く者が不快感を覚えることが考えられる。
【０００８】
本発明は、このような従来の課題に鑑みてなされたものであり、引き抜き時に生じ得る不具合を未然に防止することができる引き抜き部構造を提供することを目的とするものである。
【課題を解決するための手段】
【０００９】
前記課題を解決するために本発明の請求項１の引き抜き部構造にあっては、ケース本体に収容されたシート体を引き抜く際に機能する引き抜き部構造であって、引き抜かれるシート体の通過経路上に前記シート体の側縁部に接する接触部を設けた。
【００１０】
すなわち、ケース本体内のシート体を引き抜く際には、該シート体の側縁部が通過経路上に設けられた接触部に接する。
【００１１】
すると、この接触部に接した前記シート体の前記側縁部は、その厚み方向へ曲げられる。これにより、引き抜かれる前記シート体は、その側縁部が丸められた状態で引き抜かれる。
【００１２】
また、請求項２の引き抜き部構造においては、前記側縁部が前記シート体の厚み方向に曲がるようにガイドするガイド面を前記接触部に設定した。
【００１３】
すなわち、ケース本体内のシート体を引き抜く際に接触部に接したシート体の側縁部は、当該接触部に設定されたガイド面によって、その厚み方向へ曲がるようにガイドされる。これにより、引き抜かれる前記シート体は、その側縁部が丸められた状態で引き抜かれる。
【００１４】
さらに、請求項３の引き抜き部構造では、前記接触部の下流側に前記シート体が通過する引き抜き口を設けるとともに、前記側縁部が曲げられた状態で前記シート体が通過するように前記引き抜き口の幅寸法を設定した。
【００１５】
すなわち、前記接触部の下流側には、前記シート体の引き抜き口が設けられており、該引き抜き口の幅寸法は、前記側縁部が曲げられた状態で前記シート体の通過を許容するように設定されている。
【００１６】
このため、ケース本体より引き抜かれるシート体は、この引き抜き口においても側縁部が曲げられた状態に維持される。
【００１７】
このとき、前記シート体の前記側縁部は、その上流側が前記接触部の前記ガイド面で支持されるとともに、その下流側が前記引き抜き口で支持される。このため、当該シート体の側縁部を引き抜き方向の二箇所で支持できるので、曲げられた側縁部の下流側での不用意な開きが防止される。
【００１８】
加えて、請求項４の引き抜き部構造にあっては、前記シート体を、幅広の本体部と該本体部より延出した幅狭の延出部とで構成し、該延出部に引き抜き時に挟持される挟持部を設定する一方、前記本体部の側縁部に前記接触部が接するように構成した。
【００１９】
すなわち、前記シート体は、幅広の本体部と幅狭の延出部とで構成されており、該延出部には、引き抜き時に挟持される挟持部が設定されている。このため、この挟持部を挟持して引っ張ることで、前記シート体が引き抜かれる。
【００２０】
ここで、前記延出部を引っ張って前記シート体を引き抜く際には、幅狭の前記延出部が引き出された後に、幅広の本体部が引き出される。このため、引き出し時においては、前記本体部の引き出しが開始された際に、引き出されるシート体が幅広となり、ケース本体を保持する手などと干渉し易くなる。
【００２１】
そこで、前記シート体の側縁部を曲げる前記接触部は、前記本体部の側縁部に接するように構成されている。このため、このような場合であっても前記本体部の側縁部を曲げた状態で引き出すことができる。
【００２２】
また、請求項５の引き抜き部構造においては、前記延出部より離れる方向へ向かうに従って幅広となる曲げ導入部を前記本体部に設定した。
【００２３】
すなわち、幅広の前記本体部には、前記延出部より離れる方向へ向かうに従って幅広となる曲げ導入部が設定されている。
【００２４】
このため、前記本体部は、この曲げ導入部が前記接触部に差し掛かった状態から、その側縁部の前記ガイド面に沿った曲げが少しずつ開始される。
【発明の効果】
【００２５】
以上説明したように本発明の請求項１の引き抜き部構造にあっては、ケース本体内のシート体を引き抜く際に、該シート体の側縁部が通過経路上に設けられた接触部に接する。このとき、この接触部に接した前記シート体の前記側縁部が厚み方向に曲げられる。これにより引き抜かれる前記シート体の側縁部を丸めた状態で引き抜くことができる。
【００２６】
このため、ケース本体を保持した手にシート体の側縁部が当たった場合であっても当該側縁部は丸められているので、シート体の縁の手の直接接触を防止することができる。したがって、シート体の縁が直接手に当たることがあり得る従来と比較して、シート体を引き抜く者に与える不快感を確実に防止することができる。
【００２７】
また、本発明の請求項２の引き抜き部構造にあっては、ケース本体内のシート体を引き抜く際に、該シート体の側縁部が通過経路上に設けられた接触部に設けられたガイド面によって、当該接触部に接した前記シート体の前記側縁部が厚み方向に曲げられるようにガイドすることができる。これにより、引き抜かれる前記シート体の側縁部をより確実に丸めた状態で引き抜くことができる。
【００２８】
このため、ケース本体を保持した手にシート体の側縁部が当たった場合であっても当該側縁部は丸められているので、シート体の縁の手の直接接触を確実に防止することができる。したがって、シート体の縁が直接手に当たることがあり得る従来と比較して、シート体を引き抜く者に与える不快感を確実に防止することができる。
【００２９】
また、請求項３の引き抜き部構造においては、前記接触部の下流側に前記シート体の引き抜き口が設けられており、該引き抜き口の幅寸法は、前記側縁部が曲げられた状態で前記シート体の通過を許容するように設定されている。
【００３０】
このため、ケース本体より引き抜かれるシート体は、この引き抜き口においても側縁部が曲げられた状態に維持することができる。
【００３１】
このとき、前記シート体の前記側縁部は、その上流側が前記接触部の前記ガイド面で支持されるとともに、その下流側が前記引き抜き口で支持される。このため、当該シート体の側縁部を引き抜き方向の二箇所で支持できるので、曲げられた側縁部の下流側での不用意な開きを防止することができる。
【００３２】
これにより、前記シート体の側縁部が丸められた状態を確実に維持することができる。
【００３３】
さらに、請求項４の引き抜き部構造では、前記シート体は幅広の本体部と幅狭の延出部とで構成されており、該延出部には、引き抜き時に挟持される挟持部が設定されている。このため、この挟持部を挟持して引っ張ることで、前記シート体を引き抜くことができる。
【００３４】
ここで、前記延出部を引っ張って前記シート体を引き抜く際には、幅狭の前記延出部が引き出された後に、幅広の本体部が引き出される。このため、引き出し時においては、前記本体部の引き出しが開始された際に、引き出されるシート体が幅広となり、ケース本体を保持する手などと干渉し易くなる。
【００３５】
そこで、前記シート体の側縁部を曲げる前記接触部は、前記本体部の側縁部に接するように構成されている。このため、このように手への干渉が生じやすい構成であっても、前記本体部の側縁部を曲げた状態で引き出すことができ、前述と同様の効果を十分に発揮することができる。
【００３６】
加えて、請求項５の引き抜き部構造にあっては、幅広の本体部には、前記延出部より離れる方向へ向かうに従って幅広となる曲げ導入部が設定されており、前記本体部は、この曲げ導入部が前記接触部に差し掛かった状態から、その側縁部の前記ガイド面に沿った曲げを少しずつ開始することができる。
【００３７】
このため、前記曲げ導入部が設定されていない場合と比較して、前記本体部先端の前記接触部への引っかかりを防止することができ、前記本体部の側縁部の曲げ工程へスムーズに移行することができる。
【図面の簡単な説明】
【００３８】
【図１】本発明の第一の実施の形態を示す断面図である。
【図２】同実施の形態のカートリッジを示す図で、（ａ）は平面図であり、（ｂ）は断面図である。
【図３】同実施の形態のカートリッジに利用形態を示す図で、（ａ）は延出部を折り返した状態を示す断面図であり、（ｂ）は延出部を引っ張ってシート体を途中まで剥離した状態を示す断面図である。
【図４】同実施の形態のケース本体を展開した状態を示す斜視図である。
【図５】同実施の形態のケース本体を展開した状態を裏側から見た状態を示す斜視図である。
【図６】同実施の形態のケース本体を展開した状態の底面図である。
【発明を実施するための形態】
【００３９】
以下、本発明の一実施の形態を図に従って説明する。
【００４０】
図１は、本実施の形態にかかる引き抜き構造を備えた薬剤揮散装置１を示す図であり、該薬剤揮散装置１の断面が示されている。
【００４１】
この薬剤揮散装置１は、靴型のケース本体１１と、該ケース本体１１内に交換自在に収容されたカートリッジ１２とによって構成されており、該カートリッジ１２内に収容された液状薬剤を空間に付与できるように構成されている。
【００４２】
このカートリッジ１２は、図２に示すように、プラスチックで形成されたカートリッジ本体２１を備えており、該カートリッジ本体２１には、液状薬剤２２を収容する容器部２３と、該容器部２３の開口縁部に設けられたフランジ部２４と、該フランジ部２４より側方へ延出した本体延出部２５とによってスプーン形状に形成されている。該本体延出部２５の先端部は、該本体延出部２５より幅広の矩形状に形成されており、本体挟持部２６が形成されている。
【００４３】
前記容器部２３内には、前記液状薬剤２２が収容されており、前記カートリッジ本体２１には、透過膜３１が積層されている。該透過膜３１は、前記フランジ部２４及び前記本体延出部２５に接着されており、前記容器部２３の開口部は、前記透過膜３１で閉鎖されるように構成されている。前記フランジ部２４と前記本体延出部２５との間には、図２の（ａ）に示したように、前記透過膜３１が接着されない非接着領域３２が設定されており、前記フランジ部２４と前記本体延出部２５との間には、前記フランジ部２４側に接着された前記透過膜３１と前記本体延出部２５側に接着された前記透過膜３１との分離を容易とするための「くの字状」の境界線３３が形成されている。
【００４４】
前記透過膜３１は、前記容器部２３からの前記液状薬剤２２の漏れを防止する一方、気化した液状薬剤２２は透過するように構成されており、気化された前記液状薬剤２２のみを揮散できるように構成されている。この透過膜３１には、薬剤不透過性シートにアルミ蒸着したシート体４１が積層されており、該シート体４１は、気化した液状薬剤２２の透過も防止できるように構成されている。これにより、前記シート体４１が積層された未使用状態では、前記液状薬剤２２の揮散を防止できるように構成されている。
【００４５】
前記シート体４１は、前記カートリッジ本体２１の前記容器部２３及び前記フランジ部２４に積層された幅広の本体部４５と、該本体部４５より延出するとともに前記カートリッジ本体２１の前記本体延出部２５に積層された幅狭のシート体延出部４６とによって形成されている。前記シート体延出部４６の先端部には、矩形状の挟持部シート体挟持部４７が設けられており、該シート体挟持部４７は、前記カートリッジ本体２１の前記本体延出部２５における前記本体挟持部２６と同形状であって当該本体挟持部２６に積層されている。これにより、前記シート体延出部４６引き抜き時には、前記本体挟持部２６を前記シート体挟持部２６と共に挟持できるように構成されている。
【００４６】
前記本体部４５は、当該カートリッジ１２の長さ方向に長い楕円形状に形成されており、当該本体部４５の前記シート延出部４６側には、該シート延出部４６より離れる方向へ向かうに従って幅広となる曲げ導入部４８が設定されている（図２の（ａ）参照）。
【００４７】
前記カートリッジ本体２１及び透過膜３１には、前記容器部２３を包囲した前記フランジ部２４と前記本体延出部２５との間に切り込み５１が設けられており、該切り込み５１は、前記本体延出部２５を横断するように設定されている。これにより、当該カートリッジ本体２１は、図３に示すように、前記切り込み５１にて折曲できるように構成されており、前記本体延出部２５を前記容器部２３の開口部側である表面５２側へ折り返せるように構成されている。
【００４８】
この状態で、当該カートリッジ１２を前記ケース本体１１に収容した際には、図１に示したように、前記本体延出部２５が前記ケース本体１１から延出するように構成されており、当該本体延出部２５を引っ張ることで、前記シート体４１を、図３の（ｂ）に示すように、前記本体延出部２５及び該本体延出部２５に接着された前記透過膜３１と共に剥離して前記液状薬剤２２の揮散を開始できるように構成されている。
【００４９】
ここで、前記液状薬剤２２としては、芳香剤や消臭剤や防虫剤等が挙げられる。
【００５０】
前記ケース本体１１は、図４から図６にも示すように、上部を形成する上部ケース１０１と、該上部ケース１０１にヒンジ部１０２を介して連結された下部を形成する下部ケース１０３とで構成されており、前記上部ケース１０１と前記下部ケース１０３とを並設された開放状態１０４と、図１に示したように、前記上部ケース１０１を前記下部ケース１０３に沿って配置して当該上部ケース１０１と前記下部ケース１０３との間に収容空間を形成した閉鎖状態１０５を形成可能に構成されている。
【００５１】
前記上部ケース１０１は、図４から図６に示したように、楕円形状に形成されており、中央部が表面側に膨出した断面円弧状に形成されている。この上部ケース１０１には、紐靴のデザインが施されており、その足挿入部分は、開口している。また、靴紐１１１間も、開口しており、これらの開口部によって、内部に収容された前記カートリッジ１２内の液状薬剤２２の残量を視認することができる視認窓１１２，・・・が構成されている。
【００５２】
この上部ケース１０１の前縁には、切欠部１２１が設けられており、当該上部ケース１０１と前記下部ケース１０３とで前記ケース本体１１を形成した状態で、前記カートリッジ１２の前記本体延出部２５を延出する為の引き抜き口１２２を形成できるように構成されている（図１参照）。そして、この引き抜き口１２２は、所定の幅寸法１２３に設定されている（図６参照）。
【００５３】
前記上部ケース１０１の後縁部には、阻止片１３１が後方へ向けて延出している。該阻止片１３１は、図１に示したように、先端に向かうに従って裏側に延出するように傾斜して設けられている。この阻止片１３１に裏面には、図６に示したように、係合凸部１３２が突設されており、該係合凸部１３２は、長方形状に形成されている。
【００５４】
前記阻止片１３１が延出した前記上部ケース１０１の後縁部には、後縁円柱部１４１が立設されており、前記上部ケース１０１の両側縁の部位にも、四箇所に円柱部１４２，・・・が立設されている。
【００５５】
前記後縁円柱部１４１の側面からは、裏面側突出部を構成する縦リブ１５１が延出しており、該縦リブ１５１は、前記後縁円柱部１４１より低く設定されている。この縦リブ１５１は、前記後縁円柱部１４１より前方へ向けて延出しており、前記本体延出部２５の引っ張り方向１５２に延在するように構成されている。
【００５６】
この縦リブ１５１は、図１に示したように、前記ケース本体１１内に前記カートリッジ１２を収容した状態で、前記本体延出部２５が折り返された前記カートリッジ本体２１の折返し部１６１において、当該カートリッジ本体２１の裏面１６２側へ向けて突出するように構成されており、収容された前記カートリッジ１２において、カートリッジ本体２１の前記フランジ部２４における前記裏面１６２に近接又は当接するように構成されている。
【００５７】
前記下部ケース１０３も、図４から図６に示したように、楕円形状に形成されており、前記上部ケース１０１と適合する形状に形成されている。この下部ケース１０３には、四隅に長方形状の揮散口２０１，・・・が設けられており、収容された前記カートリッジ１２から揮散された液状薬剤２２を外部に放出できるように構成されている。
【００５８】
この下部ケース１０３の内側面には、図５及び図６に示したように、左前部に位置する接触部としての左前部補強リブ２１１と、右前部に位置する接触部としての右前部補強リブ２１２と、左後部に位置する左後部補強リブ２１３と、右後部に位置する右後部補強リブ２１４とが一体形成されており、各補強リブ２１１，２１２，２１３，２１４の基端部には、円形穴２１５，・・・が設けられているとともに、前記下部ケース１０３の後縁部には、後縁円形穴２１６が設けられている。
【００５９】
前記左前部補強リブ２１１及び前記右前部補強リブ２１２は、前記カートリッジ１２の前記本体延出部２５及びシート体延出部４６を引っ張って前記シート体４１を引き抜く際に、該シート体４１の前記本体部４５が通過する通過経路上に設けられており、この引き抜き時において、前記本体部４５の左側縁部４５ａが前記左前部補強リブ２１１の先端部に、また前記本体部４５の右側縁部４５ｂが前記右前部補強リブ２１２の先端部に接触するように前記各前補強リブ２１１，２１２の長さ寸法が設定されている（図６参照）。
【００６０】
前記左前部補強リブ２１１の先端部には、図５及び図６に示すように、当該左前部補強リブ２１１の先端へ向かうに従って高さ寸法が低くなる傾斜面が形成されており、前記シート体４１引き抜き時に前記本体部４５の左側縁部４５ａを、その厚み方向Ｔである外側面側に曲がるようにガイドする左ガイド面２１１ａが形成されている（図３の（ｂ）参照）。
【００６１】
また、前記右前部補強リブ２１２の先端部には、当該右前部補強リブ２１２の先端へ向かうに従って高さ寸法が低くなる傾斜面が形成されており、前記シート体４１引き抜き時に前記本体部４５の右側縁部４５ｂを、その厚み方向Ｔである外側面側に曲がるようにガイドする右ガイド面２１２ａが形成されている。
【００６２】
前記左ガイド面２１１ａの上縁から前記右ガイド面２１２ａの上縁までの離間寸法２１７は、図６に示したように、その下流側に設けられた前記引き抜き口１２２の前記幅寸法１２３と略同寸法となるように設定されており、前記各ガイド面２１１ａ，２１２ａによって前記左右側縁部４５ａ、４５ｂが曲げられた状態を維持しつつ前記シート体４１の前記本体部４５が前記引き抜き口１２２を通過するように当該引き抜き口１２２の幅寸法１２３が設定されている。
【００６３】
前記円形穴２１５，・・・、２１６は、前記上部ケース１０１に設けられた前記各円柱部１４２，・・・、１４１に対応する位置に設けられており、前記下部ケース１０３を前記上部ケース１０１の裏側に折り返した状態で、前記各円柱部１４２，・・・、１４１が対応する前記円形穴２１５，・・・、２１６に係合することで、前記両ケース１０１，１０３が係合するように構成されている。
【００６４】
前記後縁円形穴２１６を形成する円筒部２２１の側面からは、該円筒部２２１より低い縦壁２２２が前方へ向けて延出しており、該縦壁２２２の先端には、左右方向に延在した裏面側突出部を構成する横リブ２２３が一体形成されている。
【００６５】
該横リブ２２３は、図１に示したように、前記ケース本体１１内に前記カートリッジ１２を収容した状態で、前記本体延出部２５が折り返された前記カートリッジ本体２１の折返し部１６１において、当該カートリッジ本体２１の前記表面５２側へ向けて突出するように構成されており、収容された前記カートリッジ１２において、折り返された前記本体延出部２５に近接又は当接するように構成されている。
【００６６】
そして、この横リブ２２３は、図６に示したように、前記引っ張り方向１５２に対して交差する方向に延在しており、本実施の形態では、前記引っ張り方向１５２に対して直交するように設けられている。
【００６７】
前記下部ケース１０３の後縁からは、図４から図６に示したように、延出片２３１が外方へ向けて延出しており、前記ケース本体１１から前記延出片２３１が延出するように構成されている。該延出片２３１は、前記下部ケース１０３より短い板状に形成されており、基端部には折曲した折曲部２３２が設けられている（図４参照）。これにより、当該延出片２３１は、断面Ｌ字状に形成されている。
【００６８】
この延出片２３１と前記下部ケース１０３との間には、図６に示したように、折曲部２４１が設けられており、該折曲部２４１は、ヒンジで構成されている。これにより、前記延出片２３１は、その基部に設けられた前記折曲部２４１で折曲することで、当該延出片２３１を前記ケース本体１１を構成する前記下部ケース１０３側へ折り返せるように構成されている（図１参照）。
【００６９】
この延出片２３１は、図４にも示したように、Ｔ字状に形成されており、その先端部には、長方形状の突条２５１が形成されている。また、この突条２５１の基端側には、円形穴２５２，２５２が二箇所に形成されている。この延出片２３１が折り返される前記下部ケース１０３の部位には、前記延出片２３１を配置可能な延出片収容凹部２５３が凹設されている。
【００７０】
該延出片収容凹部２５３内には、円柱部２６１，２６１が二箇所に立設されており、前記延出片２３１を前記下部ケース１０３側に折り返した状態で、前記円柱部２６１，２６１が前記延出片２３１の前記円形穴２５２，２５２と係合するように構成されている。また、前記円柱部２６１の先端側には、長方形状の長方形凹部２６２が設けられており、前記延出片２３１を前記下部ケース１０３側に折り返して前記延出片収容凹部２５３内に配置した状態で、前記延出片２３１に形成された前記突条２５１が前記長方形凹部２６２と係合するように構成されている（図１参照）。
【００７１】
これにより、前記延出片２３１を、前記ケース本体１１に沿って配置した格納状態を形成できるように構成されており、この格納状態で前記延出片２３１の不用意な揺動を防止することで、当該ケース本体１１をパッケージに収容する際には、コンパクト化を図れるとともに、輸送・展示の際に生じ得る不具合を未然に防止することができる。
【００７２】
そして、前記延出片２３１の自由端部を前記ケース本体１１を構成する前記下部ケース１０３から離間することで、前記延出片２３１と前記下部ケース１０３との間に引っ掛け空間を形成できるように構成されており（図示省略）、この状態において、前記上部ケース１０１に設けられた前記阻止片１３１が前記延出片２３１基端の折曲部２３２に当接することで、当該延出片２３１の前記ケース本体１１から離間する方向への回動を阻止し前記延出片２３１と前記ケース本体１１を構成する前記下部ケース１０３とでフック形状を形成できるように構成されている。
【００７３】
このとき、前記延出片２３１基端の前記折曲部２３２には、図６に示したように、矩形状の係合穴２７１が設けられており、該係合穴２７１には、前記阻止片１３１に設けられた前記係合凸部１３２が挿入された状態で係合するように構成されている。これにより、前記延出片２３１及び前記阻止片１３１には、互いに係合する係合手段が設けられており、前記延出片２３１が前記阻止片１３１に当接した状態を維持することで、前記延出片２３１の前記ケース本体１１側への不用意な移動を防止できるように構成されている。
【００７４】
以上の構成にかかる本実施において、ケース本体１１より延出したカートリッジ１２の本体延出部２５をシート体延出部４６と共に引っ張ってカートリッジ本体２１よりシート体４１を剥離して引き抜く際には、該シート体４１の本体部４５の左右側縁部４５ａ、４５ｂが、その通過経路上に設けられた接触部としての左右前補強リブ２１１，２１２に接する。
【００７５】
すると、前記シート体４１の本体部４５の左右側縁部４５ａ、４５ｂは、前記左右前補強リブ２１１，２１２に接することで、その厚み方向Ｔへ曲げられる。
【００７６】
このとき、各前補強リブ２１１，２１２には、各ガイド面２１１ａ、２１２ａが設定されており、各前補強リブ２１１，２１２に接した前記シート体４１の前記左右側縁部４５ａ、４５ｂが厚み方向Ｔへ曲がるようにガイドすることができる。
【００７７】
これにより、アルミ蒸着された薬剤不透過性シートからなる前記シート体４１の前記本体部４５における各側縁部４５ａ，４５ｂに癖をつけるとともに、引き抜かれる前記シート体４１の前記本体部４５の左右側縁部４５ａ、４５ｂを丸めた状態で引き抜くことができる。このため、ケース本体１１を保持した手にシート体４１の前記本体部４５の左右側縁部４５ａ、４５ｂが当たった場合であっても、当該側縁部４５ａ，４５ｂは丸められているので、シート体１１の縁の手への直接接触を防止することができる。
【００７８】
したがって、シート体の縁が直接手に当たることがあり得る従来と比較して、前記シート体４１を引き抜く者に与える不快感を確実に防止することができる。
【００７９】
また、前記各前補強リブ２１１，２１２の下流側には、前記シート体４１の引き抜き口１２２が設けられており、該引き抜き口１２２の幅寸法１２３は、前記シート体４１の前記本体部４５における左右側縁部４５ａ，４５ｂが曲げられた状態で当該本体部４５の通過を許容するように設定されている。
【００８０】
このため、前記ケース本体１１より引き抜かれるシート体４１は、この引き抜き口１２２においても左右側縁部４５ａ，４５ｂが曲げられた状態に維持することができる。
【００８１】
このとき、前記シート体４１の各側縁部４５ａ，４５ｂは、その上流側が前記各前補強リブ２１１，２１２の前記各ガイド面２１１ａ，２１２ａで支持されるとともに、その下流側が前記引き抜き口１２２の開口縁部で支持される。このため、当該シート体４１の前記本体部４５の各側縁部４５ａ，４５ｂを引き抜き方向の二箇所で支持できるので、曲げられた各側縁部４５ａ，４５ｂの下流側での不用意な開きを防止することができる。
【００８２】
これにより、前記シート体４１の前記本体部４５における各側縁部４５ａ，４５ｂが丸められた状態を確実に維持することができる。
【００８３】
そして、前記シート体４１は幅広の前記本体部４５と幅狭の前記シート体延出部４６とで構成されており、該シート体延出部４６には、引き抜き時に挟持されるシート体挟持部４７が設定されている。このため、このシート体挟持部４７を挟持して引っ張ることで、前記シート体４１を引き抜くことができる。
【００８４】
ここで、前記シート体延出部４６を引っ張って前記シート体４１を引き抜く際には、幅狭の前記シート体延出部４６が引き出された後に、幅広の前記本体部４５が引き出される。このため、引き出し時においては、前記本体部４５の引き出しが開始された際に、引き出されるシート体４１が幅広となり、ケース本体１１を保持する手などと干渉し易くなる。
【００８５】
そこで、本実施の形態では、前記シート体４１の各側縁部４５ａ，４５ｂを曲げる前記各前補強リブ２１１，２１２が前記本体部４５の各側縁部４５ａ，４５ｂに接するように構成されている。このため、このように手への干渉が生じやすい構成であっても、前記本体部４５の前記各側縁部４５ａ，４５ｂを曲げた状態で引き出すことができ、前述と同様の効果を十分に発揮することができる。
【００８６】
また、幅広に形成された前記本体部４５には、前記シート体延出部４７より離れる方向へ向かうに従って幅広となる曲げ導入部４８が設定されており、前記本体部４５は、この曲げ導入部４８が前記各前補強リブ２１１，２１２に差し掛かった状態から、その側縁部４５ａ，４５ｂの前記各ガイド面２１１ａ，２１２ａに沿った曲げを少しずつ開始することができる。
【００８７】
このため、前記曲げ導入部４８が設定されていない場合と比較して、前記本体部４５先端の前記各前補強リブ２１１，２１２への引っかかりを防止することができ、前記本体部４５の各側縁部４５ａ，４５ｂの曲げ工程へスムーズに移行することができる。
【符号の説明】
【００８８】
１    薬剤揮散装置
１１    ケース本体
４１    シート体
４５    本体部
４５ａ  左側縁部
４５ｂ  右側縁部
４６    シート体延出部
４７    シート体挟持部
４８    曲げ導入部
１２２    引き抜き口
１２３    幅寸法
１５２    引っ張り方向
２１１    左前補強リブ
２１１ａ  左ガイド面
２１２    右前補強リブ
２１２ａ  右ガイド面
Ｔ    厚み方向
【図１】
2015117045.tif 000003
【図２】
2015117045.tif 000004
【図３】
2015117045.tif 000005
【図４】
2015117045.tif 000006
【図５】
2015117045.tif 000007
【図６】
2015117045.tif 000008